(57)【要約】電力増幅器回路（３０，６０）は、増幅した出力信号の直線性を改善する。電力臓腑機器回路（３０，６０）は、搬送波信号（３４，６４）を受信する入力部（３３，６３）、および搬送波信号（３４，６４）を増幅するための所定のタイプの結合増幅器（３２，６２）のアレイを含む。少なくとも１つの所定のタイプの増幅器（４８，７８）が、入力部（３３，６３）と結合増幅器（３２，６２）のアレイとの間に配置され、搬送波信号（３４，６４）を増幅して、搬送波信号成分および歪み成分を有する予歪搬送波信号（３４ｂ１，６４ｂ１）を生成し、結合増幅器（３２，６２）のアレイに入力するために搬送波信号（３４，６４）を調整し、特に結合増幅器（３２，６２）のアレイによって生成された非線形性を補正する。
2005520448.tif 000002
【特許請求の範囲】
【請求項１】
電力増幅器回路であって、
搬送波信号を受信する入力部と、
搬送波信号を増幅するための所定のタイプの結合増幅器のアレイと、
少なくとも１つの所定のタイプの増幅器とを備え、該増幅器が、前記搬送波信号を前記結合増幅器のアレイに入力する前に、前記結合増幅器のアレイによって導入された非直線性を補正するように、前記搬送波信号を増幅して予歪搬送波信号を生成するために、前記入力部と前記結合増幅器のアレイとの間に配置される電力増幅器回路。
【請求項２】
前記結合増幅器のアレイにある全ての増幅器が相互に並列に結合される、請求項１に記載の電力増幅器回路。
【請求項３】
前記入力部と前記結合増幅器のアレイとの間に配置された少なくとも１つの前記所定のタイプの増幅器がない前記結合増幅器のアレイの出力と比較して、少なくとも１つの所定のタイプの増幅器が効率を向上させ、前記結合増幅器のアレイの出力の直線性を少なくとも維持する、請求項１に記載の電力増幅器回路。
【請求項４】
さらに、前記搬送波信号を少なくとも１つの前記所定のタイプの増幅器で予歪する前に、前記搬送波信号を減衰するために、前記入力部と前記少なくとも１つの前記所定のタイプの増幅器との間に減衰器を備える、請求項１に記載の電力増幅器回路。
【請求項５】
さらに、
前記予歪した搬送波信号からの搬送波信号成分を取り消すための搬送波取り消しデバイスと、
前記搬送波取り消しデバイスからの前記予歪搬送波信号の歪み信号成分を１８０°反転し、その後に、反転した歪み信号を出力するための位相調整器と、
前記反転した歪み信号をクリーン搬送波信号成分と結合し、反転した歪みを有する結果の搬送波信号を前記結合増幅器のアレイに入力して前記結合増幅器のアレイが生成した増幅搬送波信号出力の直線性を改良するコンバイナとを備える、請求項１に記載の電力増幅器回路。
【請求項６】
前記搬送波取り消しデバイスが、
前記少なくとも１つの前記所定のタイプの増幅器から出力されると、前記予歪搬送波信号を所定の量だけ低減させるための第１の減衰器と、
前記予歪搬送波信号を前記位相調整器に入力する前に、前記予歪搬送波信号を調整するための第２の減衰器とを備える、請求項５に記載の電力増幅器回路。
【請求項７】
さらに、
前記搬送波信号を、第１および第２の信号経路上で第１および第２の信号成分に分割する電力スプリッタと、
少なくとも１つの前記所定のタイプの増幅器から予歪した第２の信号成分出力を生成するために、前記第２の信号成分の位相および利得を調整するためのＩＱ調整器と、
前記予歪した第２の信号成分を前記第１の信号成分と結合して前記予歪した第２の信号成分から搬送波信号成分を取り消すための搬送波取り消しコンバイナと、
減衰した第１の信号成分を生成するために、所定の量だけ前記第１の信号成分を減衰するための減衰器と、
前記減衰した第１の信号成分を前記搬送波取り消しコンバイナからの歪み信号成分と結合するための搬送波再挿入コンバイナとを備える、請求項１に記載の電力増幅器回路。
【請求項８】
さらに、前記第１の信号成分を前記搬送波取り消しコンバイナに入力する前に、前記第１の信号成分を遅延させ、前記第１および第２の信号成分を遅延一致させるための遅延を備える、請求項１に記載の電力増幅器回路。
【請求項９】
さらに、前記予歪搬送波信号からの搬送波信号成分を取り消して、前記少なくとも１つの前記所定のタイプの増幅器によって生じた歪みを反転させ、前記増幅器アレイによって生じた非直線性を補正するための位相および利得調整器を備える、請求項１に記載の電力増幅器回路。
【請求項１０】
電力増幅器回路であって、
入力搬送波信号を増幅するための複数の結合増幅器と、
前記入力搬送波信号を予歪し、それにより前記複数の結合増幅器に入力するために予歪搬送波信号を出力し、前記複数の結合増幅器の出力の直線性を改良するために前記複数の結合増幅器それぞれと等しいタイプの少なくとも１つの予歪増幅器とを備える電力増幅器回路。
【請求項１１】
さらに、前記予歪搬送波信号からの搬送波信号成分を取り消し、前記少なくとも１つの予歪増幅器によって生じた歪みを反転させ、前記増幅器アレイによって生じた非直線性を補正するための位相および利得調整器を備える、請求項１６に記載の電力増幅器回路。
【請求項１２】
前記複数の結合増幅器および前記少なくとも１つの予歪増幅器がそれぞれ、少なくとも１つの高電圧集積回路および別個のデバイス増幅器を備える、請求項１６に記載の電力増幅器回路。
【請求項１３】
前記少なくとも１つの所定のタイプの予歪増幅器によって、前記複数の結合増幅器が、対応する効率パラメータを少なくとも維持しながら、出力電力パラメータを増加させることができる、請求項１６に記載の電力増幅器回路。
【発明の詳細な説明】
【技術分野】
【０００１】
本発明は、電力増幅器に関し、特に増幅器アレイにある増幅器と同じタイプである予歪増幅器を含み、アレイによって増幅される信号の直線性を改善する予歪増幅器を含む電力増幅器回路に関する。
【背景技術】
【０００２】
例えば、無線通信基地局などで変調信号の増幅に使用する高出力増幅器回路は、信号増幅器によって生成された歪みを補正するために、特定量の予歪を生成するように設計される。通常、入力変調信号を２つの信号成分に分割し、一方の信号は信号増幅器の入力電力要件に整合するように調整して、他方の信号成分は、予歪してから第１の成分に再結合する。その結果の再結合した信号を信号増幅器に入力する場合は、例えば、非線形相互コンダクタンス（ＦＥＴデバイスを使用する場合）および接合容量および信号クリッピングをもたらす増幅器の飽和効果などにより増幅した信号に加えられた非線形性を補正するのにこの予歪が役に立つ。
【０００３】
従来は、ダイオードなどのデバイスを上述した第１の信号成分の予歪に使用していた。何故なら、このようなデバイスは効率的であり、したがって電力使用量が最少になるからである。しかし、予歪を増幅器で生成された歪みに一致させるのは、可能であっても困難である。予歪と歪みとが、異なる成分特性および非線形メカニズムによって生成されるからである。より正確に歪みを一致させるために、フィードフォワード増幅器技術を使用することができ、この場合は、信号増幅器の歪みを処理するために、高価なエラー増幅器を実装しなければならない。
【０００４】
あるいは、上記アナログ予歪の代わりにディジタル予歪を使用することができる。しかし、アナログ予歪の解決法と比較すると、信号フィードバックに余分な成分が必要であり、さらにその結果、ワット損が増加し、補正の特徴的な限定的帯域幅のため、５次より高い非線形性を有する大部分の回路設計状況では、このような選択肢が実行不可能になる。
【０００５】
本発明の目的および利点は、添付の図面を参照しながら、好ましい実施形態に関する以下の詳細な説明を読めば、よりよく理解することができるだろう。
【発明を実施するための最良の形態】
【０００６】
次に図面について説明すると、同様の数字は同様の部品を指し、図１は例示としての無線通信基地局（基地局）１０を示す。このような基地局の実際の構造的構成は様々であるが、基地局１０が、本発明による電力増幅器回路の様々な実施形態を実施することができる例示としての環境を検討するには好ましい。
【０００７】
周知のように、基地局１０は、一般に、例えば、Ｔ１またはＥ１スパン線１２などの陸線リンクに結合され、スパン線のおかげで、基地局１０は基地局アンテナ１４が受信した無線通信を公衆交換機（図示せず）に、およびその逆に接続することができる、基地局１０は、一般に、迂回中継（ｂａｃｋｈａｕｌ）および制御コンピュータ１８での入出力を容易にするために交流電力を直流電力に変換し、適当な直流電力を一般に１６で示す基地局および設置先の入出力プロセッサの種々の要素に提供するための電源を含む。迂回中継および制御コンピュータ１８は、スパン線１２での通信の処理、さらにモデムおよび制御コンピュータ２０との通信およびその操作用である。モデムおよび制御コンピュータ２０は、基地局受信機２４から、および送受切換器２２を通して基地局アンテナ１４と相互結合された基地局送信機２６への通信信号の受信、送信および処理を容易にするためのもの
である。基地局送信機２６は、好適には、本発明による電力増幅器回路の好ましい実施形態を含み、実装し、使用することが好ましい。
【０００８】
図２は、本発明による電力増幅器回路３０の第１の例示としての実施形態を示す。以下で詳細に検討するように、電力増幅器回路３０は、Ｎ個の結合増幅器（Ｎは少なくとも１の正の整数）を含み、この増幅器は並列で結合することが好ましく、それぞれが、例えば、Ｒａｙｔｈｅｏｎ  Ｃｏｒｐｏｒａｔｉｏｎ社が製造する多段ＧａＡｓ  ＲＦＩＣなどの所定のタイプである。しかし、並列結合増幅器のどのアレイを使用してもよい。また、増幅器アレイ３２は、並列のデバイスに適切な信号ドライブ・レベルを提供するために、並列のデバイスの前に増幅器の段を含むことができる。電力増幅器回路３０は、信号の変調およびタイプに関係なく、任意の搬送波信号を直線的に増幅することができる。しかし、電力増幅器回路３０は、基地局１０などの基地局で使用して、例えば、ＣＤＭＡ、ＧＳＭなどの１つまたは複数の搬送波信号、または特定のエア・インタフェースに左右されない任意の同様の通信信号を線形増幅することができる。電力増幅器回路３０は、図１の基地局１０などの基地局に実装し、例えば、３０〜４０Ｗの範囲の線形増幅搬送波信号を生成することができるが、このような構成は、ＩＣパッケージまたは別個のデバイス増幅器を使用して代替的に実装し、例えば、携帯電話または約１Ｗ以下の増幅出力搬送波信号を必要とするＷＬＡＮなどの用途で、はるかに小さい規模にて信号を増幅することができる。
【０００９】
電力増幅器回路３０は、上述し、本明細書では２トーンとして示されるタイプの搬送波信号３４を受信するための入力部３３を含む。電力スプリッタ３６は、例えば、Ｗｉｌｋｉｎｓｏｎコンバイナなどの混合コンバイナ、３ｄＢ、１０ｄＢまたは２０ｄＢカプラなどのカプラ、または電力をポートに分割するように設計された他の時間に独立な受動線形多ポート・デバイスなどでよく、入力搬送波信号３４を、第１の信号成分と、必ずしもこれと電力が等しくない第２の信号成分とに分割し、前者は以下でクリーン信号成分３４ａと呼ばれ、クリーン信号経路で送信するためのもので、後者は、以下では予歪信号成分３４ｂと呼ばれ、予歪信号経路で送信するためのものである。
【００１０】
クリーン信号成分３４ａは、遅延３８を介して遅延するが、これは、例えば、所定の長さの同軸ケーブルまたは高Ｑフィルタであり、それぞれが、移相、減衰および増幅デバイスによって生じた予歪信号成分経路の遅延および損失を使用する関連の遅延および損失を有する。遅延したクリーン信号成分３４ａは、次に受動スプリッタ／コンバイナ４０によって、必ずしも電力が等しくないクリーン信号下位成分３４ａ１と３４ａ２に分割される。次に、減衰器４２がクリーン信号下位成分３４ａ１を減衰する。減衰器４２は、クリーン信号下位成分３４ａ１の振幅を、例えば、６ｄＢだけ低減させ、クリーン信号下位成分３４ａ１の電力レベルを、増幅器アレイ３２の入力部で許容可能なレベルに合わせて調整する。その後、クリーン信号下位成分３４ａ１は、以下でさらに詳細に検討する理由で、搬送波再挿入受動コンバイナ４４に入力される。
【００１１】
さらに図２について説明すると、信号成分３４ｂは、電力スプリッタ３６によって分割された後、例えば、回路の組立中にテスト・ベンチのオペレータなどが設定した入力制御電圧に基づいて、減衰器４６によって受動的に減衰される。次に、信号成分３４ｂは、少なくとも１つの予歪増幅器４８によって予歪され、予歪信号成分３４ｂ１を生成する。図２に示した予歪信号成分３４ｂ１の例示としての成分は、３次の非線形信号成分を含む。何故なら、このような成分が搬送波信号の近くになり、通常は、このような用途の主要な問題であるからである。しかし、電力増幅器回路３０は、５次の非線形性など、他の高次奇数モードの非線形性に同様の方法で対応するように構成できることを理解されたい。さらに、図２には、例示および検討のために予歪増幅器が１つしか図示されていないが、信号成分３４ｂを予歪するために、任意の数の予歪増幅器を並列で結合することができると
想定される。例えば、増幅器アレイ３２を形成するために１２８の結合増幅器などの多チップ構成を使用した場合、例えば、８つの結合増幅器のチップを使用して予歪増幅器４８を実装することが想定できる。とにかく、予歪増幅器４８は、増幅器アレイ３２の個々の増幅器それぞれと同じタイプである。増幅器回路３０は、予歪増幅器４８が増幅器アレイ３２の増幅器と同じ所定のタイプであることを利用して増幅器アレイ３２と同じ比率の歪みを生成し、比例した量の電力を使用する。その結果、追加の回路成分や信号処理がない状態で、予歪を増幅器アレイ３２の歪みにはるかに容易に一致させることができる。
【００１２】
その結果の予歪済み信号成分３４ｂ１は、２０ｄＢパッドなどの固定した減衰器５０によって減衰され、予歪信号成分３４ｂ１の電力レベルを低減させてから、減衰器５２などの受動利得調整器および位相調整器５４に入力される。受動利得調整器５２は、搬送波信号のレベルを、例えば、６ｄＢ低減させ、搬送波信号のレベルを、位相調整器５４にて必要な入力レベルに対応するレベルへと調整する。位相調整器５４は、当技術分野で周知のタイプであり、予歪信号成分３４ｂ１をクリーン下位成分３４ａ２に対して１８０°移相させ、したがって予歪信号成分３４ｂ１が受動スプリッタ／コンバイナ５６によってクリーン信号下位成分３４ａ２と結合されると、搬送波信号が打ち消され、反転した歪み信号３４ｂ２のみが残る。次に、反転した歪み信号３４ｂ２を搬送波再挿入スプリッタ／コンバイナ４４によってクリーン搬送波信号下位成分３４ａ１と結合し、クリーン信号下位成分３４ａ１と反転した歪み信号３４ｂ２との両方を含む結果信号３４ｃを生成する。増幅器アレイ３２が、次に信号３４ｃを増幅し、結果の直線化した増幅済み信号３４ｄを出力する。
【００１３】
図３は、本発明による電力増幅器回路６０の第２の例示としての実施形態を示す。電力増幅器６０は、電力増幅器回路３０と同じ結果を達成するが、回路構成はわずかに異なる。特に、電力増幅器回路６０は、電力増幅器回路３０の別個の減衰器５２および移相器５４の代わりにベクトルＩＱ変調器８２を使用して、予歪信号成分６４ｂ１で位相および利得の調整を実行する。
【００１４】
上記で検討した第１の例示としての実施形態と同様、電力増幅器回路６０は、Ｎ個の結合増幅器（Ｎは、＞１の正の整数）の増幅器アレイ６２を含み、これは並列に結合することが好ましく、それぞれが、例えば、Ｒａｙｔｈｅｏｎ  Ｃｏｒｐｏｒａｔｉｏｎ社が製造するＧａＡｓ  ＲＦＩＣなどの所定のタイプである。増幅器回路６０は、信号の変調およびタイプに関係なく、任意の搬送波信号を線形増幅することができる。しかし、図１の電力増幅器回路３０と同様、電力増幅器回路６０は、基地局１０などの基地局で使用して、例えば、ＣＤＭＡ、ＧＳＭなどの搬送波信号、または特定のエア・インタフェースに左右されない任意の同様の通信信号を線形増幅できると想定される。
【００１５】
電力増幅器回路６０は、上記で検討したようなタイプの搬送波信号６４を受信する入力部６３を含む。第１の電力スプリッタ／コンバイナ６６は、例えば、電力スプリッタ／コンバイナ３６に関して上記で検討したようなタイプでよく、入力搬送波信号６４を第１の信号成分と、これと必ずしも電力が等しくない第２の信号成分とに分割し、前者は以下でクリーン信号成分６４ａと呼ばれ、クリーン信号経路で送信するためのものであり、後者は以下で予歪信号成分６４ｂと呼ばれ、予歪信号経路で送信するためのものである。
【００１６】
クリーン信号成分６４ａは、遅延６８を介して遅延するが、これは図２の遅延３８と同様、例えば、所定の長さの同軸ケーブルまたは高Ｑフィルタであり、それぞれが以下で検討する予歪信号成分経路の成分の特徴によって左右される関連の遅延および損失を有する。遅延したクリーン信号成分６４ａは、次に受動スプリッタ／コンバイナ７０によって、必ずしも電力が等しくないクリーン信号下位成分６４ａ１と６４ａ２に分割される。次に、クリーン信号下位成分６４ａ２は、例えば、第３の受動スプリッタ／コンバイナ７２に
よって減衰され、これは３ｄＢ減衰器として効果的に作用する。別の方法としては、第３の受動スプリッタ／コンバイナ７２ではなく３ｄＢパッドを使用してクリーン信号下位成分６４ａ１の電力を低減させてもよい。減衰したクリーン信号下位成分６４ａ１は、図２に示した搬送波再挿入受動スプリッタ／コンバイナ４４と同様の搬送波再挿入受動スプリッタ／コンバイナ７４に入力される。
【００１７】
さらに図３について説明すると、予歪信号成分６４ｂは、動的減衰器７６によって減衰され、予歪増幅器７８への入力信号電力を、増幅器アレイ６２内で結合した個々の並列増幅器への入力電力と同じ比率のレベルに維持する。次に、予歪信号成分６４ｂを少なくとも１つの予歪増幅器７８で予歪する。図２に示した予歪信号成分３４ｂ１と同様に、予歪信号成分６４ｂ１の例示としての成分は、３次非線形信号成分で示される。何故なら、このような成分が搬送波信号の近くになり、このような用途の典型的な主要な問題であるからである。しかし、電力増幅器回路６０は、５次の非線形性など、他の高次奇数モードの非線形性を補正するように構成できることを理解されたい。また、図２と同様、予歪信号成分６４ｂを予歪するために、任意の数の予歪増幅器を並列に結合してもよいことが想定される。予歪増幅器７８は、増幅器アレイ６２の個々の増幅器それぞれと同じタイプである。増幅器回路３０と同様、増幅器回路６０は、予歪増幅器７８が増幅器アレイ６２の増幅器と同じ所定のタイプであることを利用して増幅器アレイ３２と同じ比率の歪みを生成し、比例した量の電力を使用する。その結果、追加の回路成分や信号処理がない状態で、予歪を歪みに、はるかに容易に一致させることができる。
【００１８】
予歪増幅器７８が予歪信号成分６４ｂ１を出力すると、これは１０ｄＢパッドなどの固定減衰器８０で減衰され、したがってその電力レベルは、本明細書でＩＱ調整器と呼ぶＩＱベクトル変調器８２に入力される前に低減されている。ＩＱ調整器８２は、位相を１８０°調整し、予歪信号成分６４ｂ１の搬送波信号および予歪信号の利得を調整して反転した予歪信号成分を第５の受動スプリッタ／コンバイナ８６に提供する。検出プロセッサ８４は、ＲＭＳ電力検出器であることが好ましく、受動スプリッタ／コンバイナ８６の出力部に結合され、ＩＱ調整器８２を制御してその出力部における反転予歪信号成分６４ｂ２の量を最少にする。
【００１９】
第５の受動スプリッタ／コンバイナ８６は、予歪信号成分６４ｂ１がＩＱ調整器８２から反転した形態で出力された後、これをクリーン信号下位成分６４ａ２と再度結合して搬送波信号を打ち消し、それにより反転した歪み信号成分６４ｂ２のみを残す。次に、搬送波再挿入受動スプリッタ／コンバイナ７４で反転歪み信号成分６４ｂ２をクリーン搬送波信号下位成分６４ａ１と結合してクリーン搬送波信号下位成分６４ａ１および反転歪み信号成分６４ｂ２の両方を含む結果の信号６４ｃを生成する。次に、結果の信号６４ｃを増幅器アレイ６２に入力して、これで増幅し、増幅器アレイ６２は結果の直線化した増幅信号６４ｄを出力する。
【００２０】
図４〜図６は、例えば、上記の例示としての実施形態のいずれかによる増幅器アレイおよび同タイプの予歪増幅器を使用した電力増幅器回路の性能の改良点を、予歪していない増幅器アレイと比較してグラフで示す。特に、図示の結果は、それぞれが約３０ｄＢの利得を有する４つのＲａｙｔｈｅｏｎ  ＧａＡｓ  ＲＦＩＣのアレイ、および予歪増幅器として１つのＲａｙｔｈｅｏｎ  ＧａＡｓ  ＲＦＩＣを有する電力増幅器回路で３．８４Ｍｃｐｓの３２チャネルＷＣＤＭＡ信号を増幅して生成したものである。
【００２１】
図４では、増幅器アレイおよび上述したような同じタイプの予歪増幅器を含む電力増幅器回路をＰｏｕｔ＝３５ｄＢｍの電力出力で駆動すると、これは１４％の対応するアレイ効率で動作し、増幅した搬送波信号９０ａおよびゾーン・スプラッタ９２ａを出力して、その搬送波信号の成分が搬送波の１次帯域幅の外側でスプラッタを生じることを示した。
同じ電力増幅器回路をＰｏｕｔ＝３５ｄＢｍの電力出力で駆動するが、予歪増幅器を使用しないと、１４％の同じアレイ効率で動作したが、ゾーン・スプラッタ９２ａ’の出力量がはるかに大きかった。
【００２２】
図５では、同じ電力増幅器回路をＰｏｕｔ＝３６ｄＢｍの電力出力で駆動すると、１７％の対応するアレイ効率で動作し、増幅した搬送波信号９０ｂおよびゾーン・スプラッタ９２ｂを出力した。同じ電力増幅器回路をＰｏｕｔ＝３６ｄＢｍで駆動したが、予歪増幅器を使用しなかった場合、これは１７％の同じアレイ効率で動作したが、この場合もゾーン・スプラッタ９２ｂ’の出力量がはるかに大きかった。
【００２３】
図６では、同じ電力増幅器回路を、Ｐｏｕｔ＝３７ｄＢｍという電力出力でさらに過酷に駆動すると、１９％というさらに大きいアレイ効率で動作し、増幅したベースバンド搬送波信号９０ｃおよびゾーン・スプラッタ９２ｃを出力した。同じ出力増幅器回路をＰｏｕｔ＝３７ｄＢｍの電力出力で駆動するが、予歪増幅器を使用しないと、１９％という同じアレイ効率で動作したが、この場合もゾーン・スプラッタ９２ｃ’の出力量がはるかに大きかった。
【００２４】
図７〜図９は、例示としての３．８４Ｍｃｐｓの３２チャネルＷＣＤＭＡ信号を増幅するために、それぞれが約３０ｄＢの利得を有する３２の結合したＲａｙｔｈｅｏｎ  ＧａＡｓ  ＲＦＩＣのアレイ、および予歪増幅器として１つのＲａｙｔｈｅｏｎ  ＧａＡｓ  ＲＦＩＣを使用する別の電力増幅器回路の性能の改良点をグラフで示す。
【００２５】
図７では、同じ電力増幅器回路をＰｏｕｔ＝４０ｄＢｍの電力出力で駆動すると、これは６％の対応するアレイ効率で動作し、増幅した搬送波信号９４ａおよびゾーン・スプラッタ９６ａを出力した。同じ電力増幅器回路をＰｏｕｔ＝４０ｄＢｍの電力出力で駆動するが、予歪増幅器を使用しないと、６％の同じアレイ効率で動作したが、ゾーン・スプラッタ９６ａ’の出力量がはるかに大きかった。
【００２６】
図８では、同じ電力増幅器回路をＰｏｕｔ＝４３ｄＢｍの電力出力で駆動すると、１０．２％の対応するアレイ効率で動作し、増幅した搬送波信号９４ｂおよびゾーン・スプラッタ９６ｂを出力した。同じ電力増幅器回路をＰｏｕｔ＝４３ｄＢｍで駆動したが、予歪増幅器を使用しなかった場合、これは１０．２％の同じアレイ効率で動作したが、ゾーン・スプラッタ９６ｂ’の出力量がはるかに大きかった。
【００２７】
図９では、同じ電力増幅器回路を、Ｐｏｕｔ＝４５ｄＢｍという電力出力でさらに過酷に駆動すると、１４．１％という対応するアレイ効率で動作し、増幅した搬送波信号９４ｃおよびゾーン・スプラッタ９６ｃを出力した。同じ出力増幅器回路をＰｏｕｔ＝４５ｄＢｍの電力出力で駆動するが、予歪増幅器を使用しないと、１４．１％という同じアレイ効率で動作したが、ゾーン・スプラッタ９６ｃ’の出力量がはるかに大きかった。
【００２８】
以上の数字は、本発明によるタイプの電力増幅器回路が、必要な場合にさらに多くの電力を提供するために、より過酷に駆動できるが、なお同じ直線性を維持することを当業者であれば理解することができるだろう。言い換えると、本発明の電力増幅器回路の構成により、システム設計者は１つまたは複数の同じタイプの予歪増幅器を使用し、したがって１つの増幅器アレイで結合する増幅器の数を増加させ、回路の出力電力能力を増加させて同時に回路の直線性および効率パラメータを維持するか、または向上させることができる。
【００２９】
以上は、本発明の好ましい実施形態の説明であるが、本発明は、特許請求の範囲および正当な意味から逸脱することなく、修正、変形または変更できることを理解されたい。
【図面の簡単な説明】
【００３０】
【図１】本発明による電力増幅器回路を実施することができる例示としての無線通信基地局のブロック図である。
【図２】本発明の第１の例示としての実施形態による電力増幅器回路のブロック図である。
【図３】本発明の第２の例示としての実施形態による電力増幅器回路のブロック図である。
【図４】増幅器アレイが４つの結合増幅器デバイスを含む、本発明による電力増幅器回路の出力と周波数とのグラフである。
【図５】増幅器アレイが４つの結合増幅器デバイスを含む、本発明による電力増幅器回路の出力と周波数とのグラフである。
【図６】増幅器アレイが４つの結合増幅器デバイスを含む、本発明による電力増幅器回路の出力と周波数とのグラフである。
【図７】増幅器アレイが３２の結合増幅器デバイスを含む、本発明による電力増幅器回路の出力と周波数とのグラフである。
【図８】増幅器アレイが３２の結合増幅器デバイスを含む、本発明による電力増幅器回路の出力と周波数とのグラフである。
【図９】増幅器アレイが３２の結合増幅器デバイスを含む、本発明による電力増幅器回路の出力と周波数とのグラフである。
【図１】
2005520448.tif 000003
【図２】
2005520448.tif 000004
【図３】
2005520448.tif 000005
【図４】
2005520448.tif 000006
【図５】
2005520448.tif 000007
【図６】
2005520448.tif 000008
【図７】
2005520448.tif 000009
【図８】
2005520448.tif 000010
【図９】
2005520448.tif 000011
【国際調査報告】
2005520448.tif 000012
2005520448.tif 000013
2005520448.tif 000014